(57)【要約】【課題】プロジェクタのような外部機器に画像データを送信する送信元が無制限に切り替わることを防止することが可能な情報処理装置を実現する。【解決手段】ＰＤＡ１のプレゼンテーションプログラム１２は、画像データを無線によってワイヤレスプロジェクタ２に送信する。ＰＤＡ３が画像データ送信要求を送信したならば、割り込み要求がワイヤレスプロジェクタ２からＰＤＡ１に無線で送信される。ＰＤＡ１のワイヤレスユーティリティプログラム１１は、割り込み要求の受信に応答して、ワイヤレスプロジェクタ２に画像データを送信する送信元を、画像データ送信要求を送信したＰＤＡ３に切り替えることを許可するか否かをワイヤレスプロジェクタ２に指示する。この指示は、割り込み要求に対する応答として、ＰＤＡ１からワイヤレスプロジェクタ２に無線で送信される。【選択図】    図１
2004240825.tif 000002
【特許請求の範囲】
【請求項１】
受信した画像データを表示する外部機器との通信を実行可能な情報処理装置において、
前記外部機器に表示させるべき画像データを前記外部機器に送信するための送信処理を実行する手段と、
他の情報処理装置が前記外部機器に画像データ送信要求を送信したことを示す割り込み要求を前記外部機器から受信する受信手段と、
前記送信処理の期間中に前記割り込み要求が前記受信手段によって受信された場合、前記外部機器に画像データを送信する送信元を前記他の情報処理装置に切り替えることを許可するか否かを前記外部機器に指示する指示手段とを具備することを特徴とする情報処理装置。
【請求項２】
前記指示手段は、前記送信処理の期間中に前記割り込み要求が前記受信手段によって受信された場合、前記送信元の切り替えを許可するべきか否かを前記情報処理装置のユーザに問い合わせる手段を含むことを特徴とする請求項１記載の情報処理装置。
【請求項３】
前記指示手段の動作モードを、前記問い合わせを行う第１モードと、前記問い合わせ無しで前記送信元の切り替えの禁止を前記外部機器に指示する第２モードのいずれか一方に設定する手段をさらに具備することを特徴とする請求項２記載の情報処理装置。
【請求項４】
前記送信処理を実行する手段は、前記情報処理装置によって実行されるプレゼンテーションプログラムによって生成されるスライドデータを前記画像データとして前記外部機器に送信する手段を含むことを特徴とする請求項１記載の情報処理装置。
【請求項５】
前記送信処理を実行する手段は、前記情報処理装置の表示装置に表示される画面イメージデータを前記画像データとして前記外部機器に送信する手段を含むことを特徴とする請求項１記載の情報処理装置。
【請求項６】
前記送信処理の期間中に前記割り込み要求が前記受信手段によって受信され度に、その割り込み要求で指定される前記他の情報処理装置の識別情報を記憶する手段と、
前記記憶されている識別情報の一覧を前記情報処理装置の表示装置に表示する手段と、
前記識別情報の一覧の中から、前記送信元として動作すべき他の情報処理装置の一つを選択する手段とをさらに具備し、
前記指示手段は、前記送信元として動作すべき他の情報処理装置の一つが選択された場合、前記送信元の切り替えを許可することを示す情報、および前記選択された他の情報処理装置に対応する識別情報を、前記外部機器に送信する手段を含むことを特徴とする請求項１記載の情報処理装置。
【請求項７】
前記情報処理装置から送信される無線信号が届く範囲内に存在する外部機器を検出する手段と、
前記検出された外部機器の一覧を前記情報処理装置の表示装置に表示する手段と、
前記一覧の中から一つの外部機器を選択する手段とをさらに具備し、
前記送信処理を実行する手段は、前記一覧の中から選択された外部機器に画像データを送信する手段を含むことを特徴とする請求項１記載の情報処理装置。
【請求項８】
情報処理装置から外部機器に画像データを送信する画像データ送信制御方法であって、
前記外部機器に表示させるべき画像データを前記外部機器に送信するための送信処理を実行するステップと、
他の情報処理装置が前記外部機器に画像データ送信要求を送信したことを示す割り込み要求を前記外部機器から受信する受信ステップと、
前記送信処理の期間中に前記割り込み要求が前記受信ステップによって受信された場合、前記外部機器に画像データを送信する送信元を前記他の情報処理装置に切り替えることを許可するか否かを前記外部機器に指示する指示ステップとを具備することを特徴とする画像データ送信制御方法。
【請求項９】
前記指示ステップは、前記送信処理の期間中に前記割り込み要求が前記受信ステップによって受信された場合、前記送信元の切り替えを許可するべきか否かを前記情報処理装置のユーザに問い合わせるステップを含むことを特徴とする請求項８記載の画像データ送信制御方法。
【請求項１０】
前記指示ステップの動作モードを、前記問い合わせを行う第１モードと、前記問い合わせ無しで前記送信元の切り替えの禁止を前記外部機器に指示する第２モードのいずれか一方に設定するステップをさらに具備することを特徴とする請求項９記載の画像データ送信制御方法。
【請求項１１】
前記送信処理を実行するステップは、前記情報処理装置によって実行されるプレゼンテーションプログラムによって生成されるスライドデータを前記画像データとして前記外部機器に送信するステップを含むことを特徴とする請求項８記載の画像データ送信制御方法。
【請求項１２】
前記送信処理を実行するステップは、前記情報処理装置の表示装置に表示される画面イメージデータを前記画像データとして前記外部機器に送信するステップを含むことを特徴とする請求項８記載の画像データ送信制御方法。
【請求項１３】
前記送信処理の期間中に前記割り込み要求が前記受信ステップによって受信され度に、その割り込み要求で指定される前記他の情報処理装置の識別情報を記憶するステップと、
前記記憶されている識別情報の一覧を前記情報処理装置の表示装置に表示するステップと、
前記識別情報の一覧の中から、前記送信元として動作すべき他の情報処理装置の一つを選択するステップとをさらに具備し、
前記指示ステップは、前記送信元として動作すべき他の情報処理装置の一つが選択された場合、前記送信元の切り替えを許可することを示す情報、および前記選択された他の情報処理装置に対応する識別情報を、前記外部機器に無線信号によって送信するステップを含むことを特徴とする請求項８記載の画像データ送信制御方法。
【請求項１４】
前記情報処理装置から送信される無線信号が届く範囲内に存在する外部機器を検出するステップと、
前記検出された外部機器の一覧を前記情報処理装置の表示装置に表示するステップと、
前記一覧の中から一つの外部機器を選択するステップとをさらに具備し、
前記送信処理を実行するステップは、前記一覧の中から選択された外部機器に画像データを送信するステップを含むことを特徴とする特徴とする請求項８記載の画像データ送信制御方法。
【発明の詳細な説明】
【０００１】
【発明の属する技術分野】
本発明は例えばＰＤＡ（Ｐｅｒｓｏｎａｌ  Ｄｉｇｉｔａｌ  Ａｓｓｉｓｔａｎｔｓ）のような情報処理装置および同装置で用いられる画像データ送信制御方法に関する。
【０００２】
【従来の技術】
近年、ＰＤＡ、ノートブック型パーソナルコンピュータのような様々な携帯型情報処理装置が開発されている。多くの携帯型情報処理装置は無線通信機能を有しており、他の情報処理装置および各種コンシューマ電子機器に無線接続することができる。
【０００３】
情報処理装置の無線通信機能を用いた応用システムとしては、情報処理装置から無線によって送信される画像データをプロジェクタによって大型スクリーンに表示するという情報表示システムが知られている（例えば、特許文献１参照。）。
【０００４】
この情報表示システムにおいては、情報処理装置の記憶装置に蓄積された画像データが、無線によってプロジェクタに送信される。これにより、各プレゼンテーターは、プロジェクタとの間のケーブル接続の差し替え等の作業を行うことなく、自身の情報処理装置の画像データを容易にプロジェクタに送信することができる。
【０００５】
【特許文献１】
特開２００２−２１８４２０号公報（第５−６頁、図３）
【０００６】
【発明が解決しようとする課題】
しかし、複数人がそれぞれ自身の情報処理装置の画像をプロジェクタのスクリーンに表示しながら会議を行うような状況においては、もしプロジェクタのスクリーンに表示される画像データの送信元となる情報処理装置の切り替えが無制限に行われると、却ってスムーズな会議の進行が妨げられることになる。
【０００７】
本発明は上述の事情を考慮してなされたものであり、プロジェクタのような外部機器に画像データを送信する送信元が無制限に切り替わることを防止することが可能な情報処理装置および画像データ送信制御方法を提供することを目的とする。
【０００８】
【課題を解決するための手段】
上述の課題を解決するため、本発明は、受信した画像データを表示する外部機器との通信を実行可能な情報処理装置において、前記外部機器に表示させるべき画像データを前記外部機器に送信するための送信処理を実行する手段と、他の情報処理装置が前記外部機器に画像データ送信要求を送信したことを示す割り込み要求を前記外部機器から受信する受信手段と、前記送信処理の期間中に前記割り込み要求が前記受信手段によって受信された場合、前記外部機器に画像データを送信する送信元を前記他の情報処理装置に切り替えることを許可するか否かを前記外部機器に指示する指示手段とを具備することを特徴とする。
【０００９】
この情報処理装置においては、他の情報処理装置が外部機器に画像データ送信要求を送信したことを示す割り込み要求の受信に応答して、外部機器に画像データを送信する送信元を切り替えることを許可するか否かを外部機器に指示することができる。よって、プロジェクタのような外部機器に画像データを送信する送信元が他の情報処理装置に切り替わることを必要に応じて制限することが可能となり、送信元の切り替えが無制限に行われることを防止することができる。
【００１０】
【発明の実施の形態】
以下、図面を参照して本発明の実施形態を説明する。
図１には、本発明の一実施形態に係る情報処理装置が示されている。この情報処理装置はＰＤＡとして実現されている。このＰＤＡ１は、移動端末として機能する携帯型情報処理装置である。ＰＤＡ１は無線ＬＡＮデバイス１３を備えている。無線ＬＡＮデバイス１３は、例えばＩＥＥＥ  ８０２．１１ａ／ＩＥＥＥ  ８０２．１１ｂ規格に従って、無線通信を実行するように構成された無線通信デバイスである。以下、ＰＤＡ１に設けられた無線プレゼンテーション機能について説明する。
【００１１】
無線プレゼンテーション機能は、画像データをワイヤレスプロジェクタ２に無線によって送信することによって、その画像データをワイヤレスプロジェクタ２の投影スクリーン上に表示する機能である。画像データとしては、例えばＰＤＡ１の表示装置に表示される画面イメージデータ、またはプレゼンテーションプログラム１２によって生成されるスライドデータなどが用いられる。以下では、プレゼンテーションプログラム１２によって生成されるスライドデータをワイヤレスプロジェクタ２に送信する場合を想定する。
【００１２】
プレゼンテーションプログラム１２はスライドショーを実行するアプリケーションプログラムであり、ＶＧＡ（６４０ｘ４８０）サイズの画面イメージデータをスライドデータとして生成することが出来る。生成されたスライドデータは、ディスプレイドライバ１４を介してビデオメモリ（ＶＲＡＭ）１５に描画される。以下、ＶＧＡ（６４０ｘ４８０）サイズのスライドデータをＶＧＡスライドデータと称することとする。
【００１３】
ＶＧＡスライドデータをＰＤＡ１の表示装置に表示する際には、ＶＧＡスライドデータはＰＤＡ１の表示装置の表示解像度に対応する画面イメージデータに変換される。表示装置の表示解像度は、ＶＧＡ（６４０ｘ４８０）の１／４の解像度であるＱＶＧＡ（３２０ｘ２４０）である。よって、ＶＧＡスライドデータを構成する画面イメージは１／４に縮小された後に表示装置に表示される。
【００１４】
上述の無線プレゼンテーション機能は、ＰＤＡ１とワイヤレスプロジェクタ２との間の無線通信を利用して実現される。ワイヤレスプロジェクタ２は、無線ＬＡＮデバイス２１を備えている。無線ＬＡＮデバイス２１は、例えばＩＥＥＥ  ８０２．１１ａ／ＩＥＥＥ  ８０２．１１ｂ規格に従って、無線通信を実行するように構成された無線通信デバイスである。
【００１５】
ＰＤＡ１には、ワイヤレスユーティリティプログラム１１が予めインストールされている。ワイヤレスユーティリティプログラム１１は無線プレゼンテーションを制御するためのプログラムである。このワイヤレスユーティリティプログラム１１は、プレゼンテーションプログラム１２がディスプレイドライバ１４を介してビデオメモリ（ＶＲＡＭ）１５に描画したＶＧＡスライドデータをキャプチャし、そしてそのキャプチャしたＶＧＡスライドデータを無線ＬＡＮデバイス１３を用いてワイヤレスプロジェクタ２に無線信号によって送信する。
【００１６】
この場合、ＶＲＡＭ１５に描画されるＶＧＡスライドデータが更新されたときのみ、その更新されたＶＧＡスライドデータがＰＤＡ１からワイヤレスプロジェクタ２に送信される。更新されたＶＧＡスライドデータはワイヤレスユーティリティプログラム１１によって圧縮符号化された後に、無線ＬＡＮデバイス１３に送信される。ＶＧＡスライドデータの内容が変化しない期間中は、ＰＤＡ１からワイヤレスプロジェクタ２へのＶＧＡスライドデータの送信は行われない。
【００１７】
ワイヤレスプロジェクタ２は、ＶＧＡスライドデータを受信し、その受信したＶＧＡスライドデータに対応する光学像を投影用の大型スクリーンに投影する。ワイヤレスプロジェクタ２においては、受信されたＶＧＡスライドデータは復号された後にフレームバッファに書き込まれる。フレームバッファに格納されたＶＧＡスライドデータに対応する光学像が投影用の大型スクリーンに投影される。
【００１８】
次に、図２を参照して、ＰＤＡ１のシステム構成を説明する。
【００１９】
ＰＤＡ１は、上述の無線ＬＡＮデバイス１３およびＶＲＡＭ１５に加え、図示のように、ＣＰＵ１０１、システムコントローラ１０２、メモリ１０３、表示コントローラ１０４、タブレットコントローラ１０５、Ｉ／Ｏコントローラ１０６、メモリカード１０７、操作ボタン群１０８、ＬＣＤ１１１、およびタブレット１１２などを備えている。
【００２０】
ＣＰＵ１０１は本ＰＤＡ１の動作を制御するために設けられたプロセッサであり、オペレーティングシステム（ＯＳ）および各種アプリケーションプログラム／ユーティリティプログラムを実行する。オペレーティングシステム（ＯＳ）は、ペン入力操作を実現するためのタブレット制御機能を有している。
【００２１】
メモリ１０３は、オペレーティングシステム（ＯＳ）および各種アプリケーションプログラム／ユーティリティプログラムが格納された不揮発性メモリと、主メモリとして使用されるＲＡＭとを備えている。不揮発性メモリには、上述のワイヤレスユーティリティプログラム１１およびプレゼンテーションプログラム１２も格納されている。
【００２２】
システムコントローラ１０２は、ＣＰＵ１０１のローカルバスとシステムバス１００との間を接続するブリッジデバイスである。システムコントローラ１０２は、メモリ１０３を制御するメモリコントローラも内蔵している。表示コントローラ１０４は、ＰＤＡ１の表示装置として使用されるＬＣＤ１２を制御することによって、ＶＲＡＭ１５に描画された画面イメージデータをＬＣＤ１２に表示する。ＬＣＤ１２の表示解像度は、上述したように、ＶＧＡ（６４０ｘ４８０）の１／４の解像度であるＱＶＧＡ（３２０ｘ２４０）である。
【００２３】
ＶＲＡＭ１５は、オンスクリーンエリアとオフスクリーンエリアとを有している。オンスクリーンエリアはＬＣＤ１１１に表示されるＱＶＧＡ（３２０ｘ２４０）サイズの画面イメージデータを格納する記憶領域であり、フレームバッファとして使用される。表示コントローラ１０４は、オンスクリーンエリアから画面イメージデータを順次読み出し、それをＬＣＤ１２に表示する。
【００２４】
タブレットコントローラ１１２は、タブレット１１２を制御する。タブレット１１２は、ＬＣＤ１１１の表示面上に設けられた透明の座標検出装置から構成されている。ＬＣＤ１１１とタブレット１１２とにより、ペン入力操作可能なタッチスクリーンが構成される。
【００２５】
Ｉ／Ｏコントローラ１０６は、ＰＤＡ１に取り外し自在に装着されるメモリカード１０７の制御、および操作ボタン群１０８の制御を行う。操作ボタン群１０８は、例えば、パワーボタン、特定のアプリケーションを起動するためのアプリケーションボタン、カーソルキー、などの複数の操作ボタンから構成されている。
【００２６】
次に、図３を参照して、ＶＧＡスライドデータをＰＤＡ１からワイヤレスプロジェクタ２に送信する処理について説明する。ここでは、ＱＶＧＡスライドデータをＬＣＤ１１１に表示しながら、ＶＧＡスライドデータをワイヤレスプロジェクタ２に送信する場合を想定する。
【００２７】
プレゼンテーションプログラム１２は、複数のスライドデータを順番にＬＣＤ１１１に表示するためのスライドショーを実行する。スライドショーにおいてはは、プレゼンテーションプログラム１２は、ＶＧＡスライドデータを生成し、そのＶＧＡスライドデータをディスプレイドライバ１４を介してＶＲＡＭ１５のオフスクリーンエリア１５１に描画する。このＶＧＡスライドデータを構成する画面イメージデータから、ＬＣＤ１１１に実際に表示されるＱＶＧＡスライドデータが生成される。この場合、ＶＧＡスライドデータを構成する画面イメージデータのサイズを１／４に縮小する処理（スケーリング処理）が実行され、１／４に縮小された画面イメージデータがＱＶＧＡスライドデータとしてＶＲＡＭ１５のオンスクリーンエリア１５２に描画される。
【００２８】
スケーリング処理は、オンスクリーンエリア１５２の画面イメージを管理するオペレーティングシステムによって実行される。もちろん、表示コントローラ１０４が、オペレーティングシステムの制御の下に、スケーリング処理を実行してもよい。
【００２９】
表示コントローラ１０４は、オンスクリーンエリア１５２からＱＶＧＡスライドデータを読み出し、それをＬＣＤ１１１に表示する。ワイヤレスユーティリティプログラム１１は、ＱＶＧＡスライドデータではなく、プレゼンテーションプログラム１２によって生成されたＶＧＡスライドデータをディスプレイドライバ１４を介してオフスクリーンエリア１５１から読み出し、それを無線ＬＡＮデバイス１３に送信データとして供給する。
【００３０】
以上の処理により、図４に示すように、ＱＶＧＡスライドデータをＬＣＤ１１１に表示しながら、そのＱＶＧＡスライドデータの生成に使用されたオリジナルのＶＧＡスライドデータをワイヤレスプロジェクタ２に送信することが可能となる。ＶＧＡスライドデータをワイヤレスプロジェクタ２に送信することにより、ＱＶＧＡスライドデータをワイヤレスプロジェクタ２に送信するよりも、高画質のスライドデータをワイヤレスプロジェクタ２のスクリーンに表示することができる。
【００３１】
ＶＧＡスライドデータをワイヤレスプロジェクタ２に送信する処理は、プレゼンテーションプログラム１２によって新たなＶＧＡスライドデータが生成される度に実行される。すなわち、ワイヤレスユーティリティプログラム１１は、ＰＤＡ１がワイヤレスプロジェクタ２に無線接続されている期間中、ＶＧＡスライドデータの更新の有無を監視し、ＶＧＡスライドデータの更新が検出された時にその更新されたＶＧＡスライドデータをワイヤレスプロジェクタ２に送信する。
【００３２】
次に、図５を参照して、ワイヤレスユーティリティプログラム１１に設けられた割り込み処理機能について説明する。
【００３３】
この割り込み処理機能は、ＰＤＡ１によって無線プレゼンテーション処理が実行されている期間中に他のＰＤＡ３からワイヤレスプロジェクタ２に画像データ送信要求が送信された場合に実行される機能である。この割り込み処理機能により、無線プレゼンテーション処理を現在実行中のＰＤＡ１は、ワイヤレスプロジェクタ２に画像データを送信する送信元が、ＰＤＡ１からＰＤＡ３に切り替わることを許可または禁止することができる。以下、割り込み処理機能がどのように実行されるかについて説明する。
【００３４】
（１）  ＰＤＡ１のワイヤレスユーティリティプログラム１１は、無線プレゼンテーションを実行するために、ワイヤレスプロジェクタ２との無線接続を確立する。ワイヤレスユーティリティプログラム１１は、プレゼンテーションプログラム１２によって新たなＶＧＡスライドデータが生成される度にそのＶＧＡスライドデータを無線によってワイヤレスプロジェクタ２に送信する処理を実行する。
【００３５】
（２）  ＰＤＡ３は、何時でも、無線接続要求を画像データ送信要求としてワイヤレスプロジェクタ２に送信することができる。
【００３６】
（３）  ＰＤＡ１がワイヤレスプロジェクタ２に無線接続されている期間中、つまりＰＤＡ１がデータ送信処理を行っている期間中に、ＰＤＡ３が画像データ送信要求を送信したならば、割り込み要求が、ワイヤレスプロジェクタ２からＰＤＡ１に無線で送信される。
【００３７】
（４）（５）  ＰＤＡ１のワイヤレスユーティリティプログラム１１は、データ送信処理を行っている期間中に、割り込み要求を受信する。この割り込み要求は、他の情報処理装置（ここでは、ＰＤＡ３）が画像データ送信要求を送信したことを示す。ＰＤＡ１のワイヤレスユーティリティプログラム１１は、割り込み要求の受信に応答して、ワイヤレスプロジェクタ２に画像データを送信する送信元を、画像データ送信要求を送信した他の情報処理装に切り替えることを許可するか否かをワイヤレスプロジェクタ２に指示する。この指示は、割り込み要求に対する応答として、ＰＤＡ１からワイヤレスプロジェクタ２に無線で送信される。
【００３８】
もし割り込みを許可する指示つまり送信元の切替えを許可する指示が、ＰＤＡ１からワイヤレスプロジェクタ２に送信されたならば、ワイヤレスプロジェクタ２に画像データを送信する送信元は、ＰＤＡ１からＰＤＡ３に切り替えられる。一方、割り込みを禁止する指示つまり送信元の切替えを禁止（拒絶）する指示がＰＤＡ１からワイヤレスプロジェクタ２に送信されたならば、送信元の切替えは行われない。この場合、ＰＤＡ１のワイヤレスユーティリティプログラム１１は、データ送信処理を継続して行うことが出来る。
【００３９】
次に、ワイヤレスユーティリティプログラム１１によって提供される無線プレゼンテーション機能の詳細について説明する。
【００４０】
図６は、ワイヤレスユーティリティプログラム１１によってＬＣＤ１１１に表示されるワイヤレスユーティリティウィンドウ３０１を示している。ユーザによってワイヤレスユーティリティプログラム１１が起動された時、図３のワイヤレスユーティリティウィンドウ３０１がＬＣＤ１１１の画面上に表示される。
【００４１】
ワイヤレスユーティリティウィンドウ３０１には、図示のように、送信インジケータ３０２、［ＧＯ］ボタン３０３、［ＳＴＯＰ］ボタン３０４、［ＤｅｎｙＩｎｔｅｒｒｕｐｔｉｏｎ］チェックボックス３０５、［Ｓｅｃｕｒｉｔｙ］チェックボックス３０６、プロジェクタリスト３０７、アプリケーション選択プルダウンメニュー３０８、および［ウェイティングリスト表示］ボタン３０９が配置されている。
【００４２】
送信インジケータ３０２は、ＰＤＡ１とワイヤレスプロジェクタ２との間の通信の状態を示す。［ＧＯ］ボタン３０３は、ＰＤＡ１からワイヤレスプロジェクタ２にスライドデータを自動送信するための無線プレゼンテーション機能の開始を指示するためのボタンである。［ＧＯ］ボタン３０３がユーザのペン操作によってタップ（クリック）された時、無線プレゼンテーション機能が開始される。［ＳＴＯＰ］ボタン３０４は無線プレゼンテーション機能の停止を指示するためのボタンである。
【００４３】
プロジェクタリスト３０７は、ＰＤＡ１から送信される無線信号が届く範囲内に存在するワイヤレスプロジェクタの一覧を表示する。すなわち、ワイヤレスユーティリティプログラム１１によって検出されたワイヤレスプロジェクタそれぞれに対応する機器識別情報（例えば、ＭＡＣアドレス）の一覧がプロジェクタリスト３０６に表示される。
【００４４】
プロジェクタリスト３０７においては、各ワイヤレスプロジェクタの機器識別情報毎に、チェックボックスが表示される。ユーザは、チェックボックスをタップすることにより、スライドデータを送信すべき相手先プロジェクタを選択することができる。例えば隣接する複数の会議室それぞれにワイヤレスプロジェクタが設置されている環境においては、ＰＤＡ１はそれら複数のプロジェクタそれぞれと通信することができる。プロジェクタリスト３０７によってユーザに相手先プロジェクタを選択させることにより、スライドデータがユーザの意図しないプロジェクタに誤って送信されてしまうことを未然に防止することができる。相手先プロジェクタがユーザによって選択されるまでは、ワイヤレスユーティリティウィンドウ３０１上には［ＧＯ］ボタン３０３は表示されない。
【００４５】
［Ｄｅｎｙ  Ｉｎｔｅｒｒｕｐｔｉｏｎ］チェックボックス３０５は、ワイヤレスユーティリティプログラム１１を“割り込み禁止”モードに設定するために用いられる。［Ｄｅｎｙ  Ｉｎｔｅｒｒｕｐｔｉｏｎ］チェックボックス３０５がチェックされたならば、ワイヤレスユーティリティプログラム１１は“割り込み禁止”モードで動作する。“割り込み禁止”モードにおいては、ワイヤレスユーティリティプログラム１１は、割り込み要求を受信したときに、無条件に、割り込みの禁止つまり送信元の切替えの禁止、を示す指示をワイヤレスプロジェクタ２に送信する。一方、［Ｄｅｎｙ  Ｉｎｔｅｒｒｕｐｔｉｏｎ］チェックボックス３０５がチェックされていない場合、つまりワイヤレスユーティリティプログラム１１が“割り込み禁止”モードに設定されていない場合には、ワイヤレスユーティリティプログラム１１は、割り込み要求の受信に応答して、割り込み要求の発生を示す画面（割り込み通知ダイアログ）をＬＣＤ１１１に表示することにより、送信元の切替えを許可するか否かをＰＤＡ１のユーザに問い合わせる。問い合わせに対するユーザ操作に従って、ワイヤレスユーティリティプログラム１１は、送信元の切替えを許可するか否かを決定し、その決定した指示をワイヤレスプロジェクタ２に送信する。
【００４６】
［Ｓｅｃｕｒｉｔｙ］チェックボックス３０６は、送信すべきスライドデータを暗号化するか否かをユーザに指定させるために用いられる。［Ｓｅｃｕｒｉｔｙ］チェックボックス３０６がユーザによってチェックされたならば、ワイヤレスユーティリティプログラム１１はセキュリティーモードに設定される。セキュリティーモードにおいては、スライドデータは暗号化された後に、ワイヤレスプロジェクタ２に送信される。
【００４７】
アプリケーション選択プルダウンメニュー３０８は、無線プレゼンテーション機能で使用すべきプレゼンテーションプログラムをユーザに指定させるために使用される。
【００４８】
［ウェイティングリスト表示］ボタン３０９は、画像データの送信が許可されるのを待っている他のＰＤＡの一覧（ウェイティングリスト）を表示するためのボタンである。
【００４９】
［ＧＯ］ボタン３０３がユーザによってタップされた時、ワイヤレスユーティリティウィンドウ３０１は、最小化され、そして図７に示すようにコマンドバー４０３にアイコン４０３として格納される。同時に、アプリケーション選択プルダウンメニュー３０８で指定されたプレゼンテーションプログラムが起動され、そのプレゼンテーションプログラムの操作ウィンドウ４０１がＬＣＤ１１１に表示される。ユーザは、プレゼンテーションプログラムの操作ウィンドウ４０１上の［ＶＩＥＷ］ボタン４１１をタップすることにより、スライドショーの実行をプレゼンテーションプログラムに指示することができる。
【００５０】
アイコン４０３がユーザによってタップされたならば、ワイヤレスユーティリティウィンドウ３０１が再び表示される。［ＳＴＯＰ］ボタン３０４がタップされると、無線プレゼンテーション機能の実行は停止される。
【００５１】
図８には、ワイヤレスユーティリティプログラム１１によって表示される割り込み通知ダイアログの一例が示されている。
【００５２】
ＰＤＡ１のワイヤレスユーティリティプログラム１１が割り込み要求を受信した時、割り込み通知ダイアログ５０１がプレゼンテーションウィンドウ４０１上に表示される。割り込み通知ダイアログ５０１には、割り込みを要求した他のＰＤＡに送信元が切り替わることを許可するか否かをＰＤＡ１のユーザに問い合わせるために用いられる。この割り込み通知ダイアログ５０１には、例えば、図示のように、［他のＰＤＡがプロジェクタへの割り込みを要求しています。データ送信を停止しますか？］というメッセージが表示される。
【００５３】
割り込み要求には、画像データ送信要求をワイヤレスプロジェクタ２に送信したＰＤＡを識別する識別情報（例えば、そのＰＤＡに割り当てられたＭＡＣアドレス）を含ませることができる。この場合、割り込み通知ダイアログ５０１に表示されるメッセージには、画像データ送信要求を送信したＰＤＡを識別する識別情報も表示される。もちろん、各ＰＤＡ毎にそのユーザ名またはデバイス番号とＭＡＣアドレスとの関係を示す情報がＰＤＡ１内に予め登録されていれば、画像データ送信要求を送信したＰＤＡのユーザ名またはそのＰＤＡのデバイス番号を、そのＰＤＡの識別情報として表示することも出来る。
【００５４】
割り込み通知ダイアログ５０１には、さらに、［ＹＥＳ］ボタン５０２と、［ＮＯ］ボタン５０３が配置されている。
【００５５】
［ＹＥＳ］ボタン５０２がユーザによってタップされたならば、ワイヤレスユーティリティプログラム１１は、送信元の切替えを許可することを示す指示をワイヤレスプロジェクタ２に送信する。ＰＤＡ１で実行されていたデータ送信処理は停止される。［ＮＯ］ボタン５０３がユーザによってタップされたならば、ワイヤレスユーティリティプログラム１１は、送信元の切替えを禁止することを示す指示をワイヤレスプロジェクタ２に送信する。ＰＤＡ１のデータ送信処理は継続して実行される。
【００５６】
次に、図９のフローチャートを参照して、ワイヤレスユーティリティプログラム１１によって実行される無線プレゼンテーション処理の手順について説明する。
【００５７】
ワイヤレスユーティリティプログラム１１が起動された時、ワイヤレスユーティリティプログラム１１は、ワイヤレスユーティリティウィンドウ３０１を表示した後、ＰＤＡ１の周囲に存在するワイヤレスプロジェクタを検出する（ステップＳ１０１）。このステップＳ１０１においては、ＰＤＡ１と通信可能なデバイスを検出のための機器発見処理（デバイスディスカバリー処理）が実行される。
【００５８】
すなわち、ワイヤレスユーティリティプログラム１１は、無線ＬＡＮデバイス１３を用いて機器発見のためのデバイスディスカバリーコマンドをブロードキャストし、そのデバイスディスカバリーコマンドに対する応答を待つ。デバイスディスカバリーコマンドを受信した各ワイヤレスプロジェクタ２は、自身の無線ＬＡＮデバイス２１に割り当てられたＭＡＣアドレスと自身のデバイスタイプ（＝プロジェクタ）を示す識別子とを含む応答をＰＤＡ１に返す。この応答により、ワイヤレスユーティリティプログラム１１は、ＰＤＡ１から送信される無線信号が届く範囲内に存在する各ワイヤレスプロジェクタを検出することが出来る。
【００５９】
そして、ワイヤレスユーティリティプログラム１１は、検出されたワイヤレスプロジェクタの一覧をプロジェクタリスト３０７上に表示する（ステップＳ１０２）。プロジェクタリスト３０７上のあるワイヤレスプロジェクタがユーザによって選択された時（ステップＳ１０３のＹＥＳ）、ワイヤレスユーティリティプログラム１１は、ワイヤレスユーティリティウィンドウ３０１に［ＧＯ］ボタン３０３を表示する（ステップＳ１０４）。
【００６０】
［ＧＯ］ボタン３０３がユーザによってタップされた時（ステップＳ１０５のＹＥＳ）、ワイヤレスユーティリティプログラム１１は、プロジェクタリスト３０６から選択されたワイヤレスプロジェクタ２に接続要求を画像データ送信要求として送信して、その選択されたワイヤレスプロジェクタ２との無線接続を確立する（ステップＳ１０６）。このステップＳ１０６においては、ＰＤＡ１と選択されたワイヤレスプロジェクタ２との間の物理無線リンクの確立のみならず、その間のセッションも確立される。
【００６１】
ワイヤレスプロジェクタ２との無線接続が確立された後、ワイヤレスユーティリティプログラム１１は、ワイヤレスユーティリティウィンドウ３０１を最小化すると共に、プレゼンテーションプログラム１２を起動する（ステップＳ１０７）。起動されたプレゼンテーションプログラム１２は、ＶＧＡスライドデータをＶＲＡＭ１５のオフスクリーンエリアに順次描画するスライドショー（ＶＧＡスライドショー）を開始する。
【００６２】
ワイヤレスユーティリティプログラム１１は、ＶＲＡＭ１５のオフスクリーンエリアからＶＧＡスライドデータを取得する（ステップＳ１０８）。
【００６３】
このステップＳ１０８においては、ワイヤレスユーティリティプログラム１１は、ＶＲＡＭ１５のオフスクリーンエリアからの画面イメージデータのリードを要求するコマンドをディスプレイドライバ１４に発行する。ディスプレイドライバ１４は、表示コントローラ１０４を介して画面イメージデータをオフスクリーンエリアから読み出し、それをワイヤレスユーティリティプログラム１１に渡す。
【００６４】
ワイヤレスユーティリティプログラム１１は、新たに取得した画面イメージデータと後述のステップＳ１１４において前回送信された画面イメージデータとを比較することにより、ＶＧＡスライドデータが更新されたかどうかを判別する（ステップＳ１０９，Ｓ１１０）。ステップＳ１０８によって取得された画面イメージデータが前回送信した画面イメージデータと異なる場合、プレゼンテーションプログラム１２によってＶＧＡスライドデータが更新されたこと、つまりプレゼンテーションプログラム１２によって新たなＶＧＡスライドデータが生成されたことが認識される。この場合、ステップＳ１０８によって新たに取得された画面イメージデータは、送信すべきデータ（つまり、更新されたＶＧＡスライドデータ）であると判断される。
【００６５】
［ＧＯ］ボタン３０３が押された後に最初に取得されたＶＧＡスライドデータについては、無条件に、更新されたＶＧＡスライドデータであると判断される。
【００６６】
ＶＧＡスライドデータを取得する処理（ステップＳ１０８）、およびその取得されたＶＧＡスライドデータが前回送信したＶＧＡスライドデータと異なるかどうかを判別する処理（ステップＳ１０９，Ｓ１１０）は、一定時間間隔で繰り返し実行される。
【００６７】
取得されたＶＧＡスライドデータが送信すべきデータ（更新されたＶＧＡスライドデータ）であると判断されたならば（ステップＳ１１０のＹＥＳ）、ワイヤレスユーティリティプログラム１１は、その取得されたＶＧＡスライドデータを圧縮符号化する（ステップＳ１１１）。次いで、ワイヤレスユーティリティプログラム１１は、セキュリティーモードが選択されているかどうかを判別する（ステップＳ１１２）。セキュリティーモードが選択されているならば（ステップＳ１１２のＹＥＳ）、ワイヤレスユーティリティプログラム１１は、圧縮符号化されたＶＧＡスライドデータを暗号化し（ステップＳ１１３）、それを無線ＬＡＮデバイス１３を用いて、選択されたプロジェクタ２に送信する（ステップＳ１１４）。
【００６８】
このように、ＶＧＡスライドデータを圧縮符号化した後に暗号化することにより、暗号化処理の対象となるデータサイズを低減することが出来る。暗号化のために使用するキーは、例えばＰＤＡ１とそれに接続されたプロジェクタ２との間で認証およびキー交換処理を行うこと等によって生成することができる。なお、もし無線ＬＡＮデバイス１３の動作モードがＷＥＰ（Ｗｉｒｅｄ  ｅｑｕｉｖａｌｅｎｔ  ｐｒｉｖａｃｙ）キーを用いるモードに設定されているならば、ＷＥＰキーを用いた暗号化がステップＳ１１４において実行される。この場合、ＶＧＡスライドデータは、ステップＳ１１３における暗号化処理とステップＳ１１４における暗号化処理との２種類の暗号化処理によって２重に暗号化されることになる。
【００６９】
セキュリティーモードが選択されていないならば（ステップＳ１１２のＮＯ）、ステップＳ１１３の処理はスキップされる。
【００７０】
ユーザが［ＳＴＯＰ］ボタン３０４をタップするまでの間、ＰＤＡ１とプロジェクタ２との間の無線接続は維持される。この無線接続が維持されている期間中、ステップＳ１０８〜Ｓ１１４は繰り返し実行される。
【００７１】
次に、図１０のフローチャートを参照して、割り込み要求の受信に応答してワイヤレスユーティリティプログラム１１によって実行される処理の手順を説明する。
【００７２】
ＰＤＡ１のワイヤレスユーティリティプログラム１１は、上述のステップＳ１０８〜Ｓ１１４によるデータ送信処理の実行期間中にワイヤレスプロジェクタ２から割り込み要求を受信すると（ステップＳ２０１のＹＥＳ）、割り込み禁止モードが選択されているか否かを判別する（ステップＳ２０２）。割り込み禁止モードが選択されているならば（ステップＳ２０２のＹＥＳ）、ワイヤレスユーティリティプログラム１１は、割り込みの禁止つまり送信元の切替えの禁止を示す応答をワイヤレスプロジェクタ２に無線で送信することにより、割り込みの禁止をワイヤレスプロジェクタ２に即座に指示する（ステップＳ２０３）。
【００７３】
一方、割り込み禁止モードが選択されていないならば（ステップＳ２０２のＮＯ）、ワイヤレスユーティリティプログラム１１は、図８の割り込み通知ダイアログ５０１をＬＣＤ１１１に表示し、これによって割り込み要求が発生したことをＰＤＡ１のユーザに通知すると共に、そのユーザに割り込みを許可するか否かを問い合わせる（ステップＳ２０４）。そして、ワイヤレスユーティリティプログラム１１は、ユーザによって［ＹＥＳ］ボタン５０２または［ＮＯ］ボタン５０３がタップされるのを待つ（ステップＳ２０５）。
【００７４】
［ＮＯ］ボタン５０３がタップされたならば、ワイヤレスユーティリティプログラム１１は、割り込みの禁止つまり送信元の切替えの禁止を示す応答をワイヤレスプロジェクタ２に無線で送信することにより、割り込みの禁止をワイヤレスプロジェクタ２に指示する（ステップＳ２０３）。
【００７５】
［ＹＥＳ］ボタン５０２がタップされたならば、ワイヤレスユーティリティプログラム１１は、割り込みの許可つまり送信元の切替えの許可を示す応答をワイヤレスプロジェクタ２に無線で送信することにより、割り込みの許可をワイヤレスプロジェクタ２に指示する（ステップＳ２０６）。ワイヤレスユーティリティプログラム１１は、スライドデータが更新される度にその更新されたスライドデータを自動送信するデータ送信処理の実行を停止し（ステップＳ２０７）、この後、切断要求を無線でワイヤレスプロジェクタ２に送信することにより、ＰＤＡ１とワイヤレスプロジェクタ２との間の無線接続を切断する（ステップＳ２０８）。これにより、ワイヤレスプロジェクタ２に画像データを送信する送信元は、ＰＤＡ１から、画像データ送信要求を送信した他のＰＤＡ３に切り替えられる。ＰＤＡ３はワイヤレスプロジェクタ２に無線接続され、これによりＰＤＡ３は、無線プレゼンテーション機能、つまりスライドデータが更新される度にその更新されたスライドデータを自動送信するデータ送信処理を開始することが出来る。
【００７６】
次に、図１１を参照して、２台のＰＤＡ１，３とワイヤレスプロジェクタ２との間で行われる通信について説明する。
【００７７】
ここでは、ＰＤＡ１が無線プレゼンテーション機能を実行している最中に、ＰＤＡ３がワイヤレスプロジェクタ２に画像データ送信要求を送信した場合を想定する。
【００７８】
ＰＤＡ１のＬＣＤ１１１に表示される［ＧＯ］ボタン３０３がタップされた時、ＰＤＡ１は、接続要求を画像データ送信要求としてワイヤレスプロジェクタ２に送信する。ワイヤレスプロジェクタ２に画像データを送信中のデバイスが存在しないならば、ワイヤレスプロジェクタ２からＰＤＡ１に接続許可が通知される。ワイヤレスプロジェクタ２からＰＤＡ１に接続許可が通知されると、ＰＤＡ１とワイヤレスプロジェクタ２との間の無線接続が確立される。ＰＤＡ１のプレゼンテーションプログラム１２が起動され、このプレゼンテーションプログラム１２はスライドショーを開始する。ＰＤＡ１のワイヤレスユーティリティプログラム１１は、プレゼンテーションプログラム１２が新たなＶＧＡスライドデータをＶＲＡＭ１５に書き込む度に、そのＶＧＡスライドデータを自動的にワイヤレスプロジェクタ２に無線によって送信する。
【００７９】
ここで、ＰＤＡ３のＬＣＤに表示される［ＧＯ］ボタンがタップされた場合を想定する。ＰＤＡ３は、［ＧＯ］ボタンのタップに応答して、接続要求を画像データ送信要求としてワイヤレスプロジェクタ２に送信する。ＰＤＡ１がワイヤレスプロジェクタ２に画像データを送信している最中であるので、ワイヤレスプロジェクタ２は、割り込み要求をＰＤＡ１に無線で送信する。
【００８０】
もちろん、割り込み要求をＰＤＡ１に無線で送信する前に、画像データを送信しているデバイスが既に存在していることを示すメッセージをワイヤレスプロジェクタ２からＰＤＡ３に送信して、ＰＤＡ３のユーザに接続要求をキャンセルするかどうかを問い合わせるようにしてもよい。もし接続要求がキャンセルされたならば、割り込み要求をＰＤＡ１に送信する必要はない。
【００８１】
ＰＤＡ１のワイヤレスユーティリティプログラム１１は、割り込み要求を受信すると、割り込みを許可するか否かを判別し、その判別結果に従って割り込みを許可するか否かをワイヤレスプロジェクタ２に指示する。
【００８２】
ＰＤＡ１のワイヤレスユーティリティプログラム１１によって割り込みが許可されたならば、ワイヤレスプロジェクタ２からＰＤＡ３に接続許可が通知される。ＰＤＡ３のワイヤレスユーティリティプログラムは、無線プレゼンテーション処理を開始することができる。
【００８３】
一方、ＰＤＡ１のワイヤレスユーティリティプログラム１１によって割り込みが禁止されたならば、ワイヤレスプロジェクタ２からＰＤＡ３に接続禁止が通知される。これにより、ＰＤＡ３からの接続要求は拒絶されることになる。ＰＤＡ１のワイヤレスユーティリティプログラム１１は、引き続き無線プレゼンテーション処理を行うことが出来る。
【００８４】
なお、以上の説明では、割り込み要求を受信した時点で割り込みを許可すべきか否かをワイヤレスプロジェクタ２に指示する場合を想定したが、受信した割り込み要求で指定される、接続要求を送信したＰＤＡの識別情報（以下、ＰＤＡ識別情報という）を蓄積することにより、接続要求（画像データ送信要求）を送信したＰＤＡの一覧の中から割り込みを許可すべきＰＤＡを後で選択するという処理を行うこともできる。
【００８５】
以下、図１２乃至図１５を参照して、接続要求（画像データ送信要求）を送信したＰＤＡの一覧の中から割り込みを許可すべきＰＤＡを選択する処理を、本発明の第２実施形態として説明する。
【００８６】
図１２のフローチャートには、割り込み要求で指定されるＰＤＡ識別情報を蓄積する処理の例が示されている。
【００８７】
すなわち、ワイヤレスユーティリティプログラム１１は、ワイヤレスプロジェクタ２から送信される割り込み要求を受信すると（ステップＳ３０１のＹＥＳ）、その割り込み要求に含まれるＰＤＡ識別情報を抽出し、その抽出したＰＤＡ識別情報（例えばデバイス番号）をウェイティングリストテーブル１００に格納する（ステップＳ３０２）。このステップＳ３０２の処理は、割り込み要求を受信する度に実行される。ワイヤレスユーティリティプログラム１１は、この時点では、割り込みを許可するか否かを示す指示をワイヤレスプロジェクタ２に送信しない。接続要求（画像データ送信要求）を送信した各ＰＤＡは、接続許可の通知を待つウェイト状態である。
【００８８】
例えば、デバイス番号＃２、＃３、＃４の３台のＰＤＡが接続要求（画像データ送信要求）をワイヤレスプロジェクタ２に送信した場合、ウェイティングリストテーブル１００には、それら３台のＰＤＡそれぞれのデバイス番号＃２、＃３、＃４が図１３のように蓄積される。
【００８９】
次に、図１４のフローチャートを参照して、割り込みを許可すべきＰＤＡをどのようにして選択するかについて説明する。
【００９０】
ワイヤレスユーティリティウィンドウ３０１上の［ウェイティングリスト表示］ボタン３０９がタップされた時、ＰＤＡ１のワイヤレスユーティリティプログラム１１は、ウェイティングリストテーブル１００に蓄積されているデバイス番号の一覧をウェイティングリストとしてＬＣＤ１１１に表示する（ステップＳ４０１）。このウェイティングリストの例を図１５に示す。
【００９１】
図１５に示されているように、ウェイティングリストは、ＰＤＡ１のデータ送信処理中に接続要求（画像データ送信要求）をワイヤレスプロジェクタ２に送信したＰＤＡの一覧を示す。接続要求を送信した各ＰＤＡの毎にそのＰＤＡ識別情報が表示される。例えば、デバイス番号＃２、＃３、＃４、＃５の４台のＰＤＡが接続要求（画像データ送信要求）をワイヤレスプロジェクタ２に送信した場合、それら４台のＰＤＡそれぞれのＰＤＡ識別情報、例えばデバイス番号＃２、＃３、＃４、＃５がウェイティングリスト上に表示される。ウェイティングリスト上には、さらに、これらデバイス番号＃２、＃３、＃４、＃５それぞれに対応してラジオボタン６０１〜６０４が表示される。ユーザは、これらラジオボタン６０１〜６０４の一つをタップすることにより、割り込みを許可すべき一つのＰＤＡを選択することができる。ウェイティングリスト上の［ＯＫ］ボタン６０５がタップされた時、割り込みを許可すべき一つのＰＤＡの選択が確定される。
【００９２】
このようにして割り込みを許可すべきＰＤＡが選択されると（ステップＳ４０２のＹＥＳ）、ＰＤＡ１のワイヤレスユーティリティプログラム１１は、選択されたＰＤＡの割り込みを許可することを示す指示をワイヤレスプロジェクタ２に送信する（ステップＳ４０３）。この指示には、割り込みを許可することを示す情報と、選択されたＰＤＡに対応するＰＤＡ識別情報とが含まれる。ワイヤレスプロジェクタ２は、ＰＤＡ１から送信されるＰＤＡ識別情報で指定されるＰＤＡに対して接続許可を送信する。
【００９３】
なお、以上説明した各実施形態では、プレゼンテーションプログラム１２によって生成されるスライドデータをワイヤレスプロジェクタ２に送信する場合を説明したが、ＬＣＤ１１１に表示される画面イメージデータをキャプチャすることにより、ＬＣＤ１１１に表示される画面イメージデータをワイヤレスプロジェクタ２に送信することもできる。画面イメージデータの送信処理においても、画面イメージデータが更新されたかどうかを検出することにより、更新された画面イメージデータのみをワイヤレスプロジェクタ２に送信することができる。
【００９４】
また、本発明は、上記実施形態に限定されるものではなく、実施段階ではその要旨を逸脱しない範囲で種々に変形することが可能である。更に、上記実施形態には種々の段階の発明が含まれており、開示される複数の構成要件における適宜な組み合わせにより種々の発明が抽出され得る。例えば、実施形態に示される全構成要件から幾つかの構成要件が削除されても、発明が解決しようとする課題の欄で述べた課題が解決でき、発明の効果の欄で述べられている効果が得られる場合には、この構成要件が削除された構成が発明として抽出され得る。
【００９５】
【発明の効果】
以上のように、本発明によれば、プロジェクタのような外部機器に画像データを送信する送信元が他の情報処理装置に無制限に切り替わることを防止することが可能となる。
【図面の簡単な説明】
【図１】本発明の一実施形態に係る情報処理装置の機能を説明するためのブロック図。
【図２】図１の情報処理装置のシステム構成を示すブロック図。
【図３】図１の情報処理装置によって実行されるスライドデータ送信処理を説明するための図。
【図４】図１の情報処理装置に表示されるスライドデータとプロジェクタに送信されるスライドデータとの関係を示す図。
【図５】図１の情報処理装置の割り込み処理機能を説明するための図。
【図６】図１の情報処理装置の表示装置に表示されるワイヤレスユーティリティウィンドウの例を示す図。
【図７】図５のワイヤレスユーティリティウィンドウを最小化した状態を示す図。
【図８】図１の情報処理装置の表示装置に表示される割り込み通知画面の一例を示す図。
【図９】図１の情報処理装置によって実行されるワイヤレスプレゼンテーション処理の手順を示すフローチャート。
【図１０】図１の情報処理装置が割り込み要求を受信した時に実行する処理の手順を示すフローチャート。
【図１１】図１の情報処理装置とプロジェクタとの間で実行される通信の様子を示す図。
【図１２】図１の情報処理装置が割り込み要求を受信した時に実行する処理の他の手順を示すフローチャート。
【図１３】図１の情報処理装置に設けられたウェイティングリストテーブルに蓄積される情報の例を示す図。
【図１４】図１の情報処理装置によって実行されるウェイティングリスト表示処理の手順を示すフローチャート。
【図１５】図１４のウェイティングリスト表示処理によって表示されるウェイティングリストの一例を示す図。
【符号の説明】
１…ＰＤＡ、２…ワイヤレスプロジェクタ、１１…ワイヤレスユーティリティプログラム、１２…プレゼンテーションプログラム、１３…無線ＬＡＮデバイス、１５…ＶＲＡＭ、２１…無線ＬＡＮデバイス、１０４…表示コントローラ、３０３…［ＧＯ］ボタン、３０５…［Ｄｅｎｙ  Ｉｎｔｅｒｒｕｐｔｉｏｎ］チェックボックス、３０７…プロジェクタリスト、３０９…［ウェイティングリスト表示］ボタン、５０１…割り込み通知ウィンドウ。
【図１】
2004240825.tif 000003
【図２】
2004240825.tif 000004
【図３】
2004240825.tif 000005
【図４】
2004240825.tif 000006
【図５】
2004240825.tif 000007
【図６】
2004240825.tif 000008
【図７】
2004240825.tif 000009
【図８】
2004240825.tif 000010
【図９】
2004240825.tif 000011
【図１０】
2004240825.tif 000012
【図１１】
2004240825.tif 000013
【図１２】
2004240825.tif 000014
【図１３】
2004240825.tif 000015
【図１４】
2004240825.tif 000016
【図１５】
2004240825.tif 000017